(57)【要約】【課題】ホームネット環境において、ネットワーク上に存在する装置同士の組み合わせによって、どのような機能が実現できるかを容易に認識可能となる操作端末、データ記録装置、データ表示装置及びデータ送受信システムを提供する。【解決手段】ＡＶ機器を操作可能な操作端末であって、ネットワーク上のデータ記録装置及びデータ表示装置を探索すると共に、前記装置から能力情報を取得する機器管理手段と、前記データ記録装置に蓄積されたＡＶデータの一覧情報を取得すると共に、前記データ記録装置或いは、データ表示装置を操作可能な機器連携手段と、アイコンの表示条件を管理すると共に、前記装置の能力情報、ＡＶデータの一覧情報及びアイコンの表示条件に基づいて、表示するアイコンを決定するアイコン表示条件管理手段と、前記決定されたアイコンを表示する表示手段を備えることを特徴とする。【選択図】図１
2011239050.tif 000002
【特許請求の範囲】
【請求項１】
ネットワークに接続された複数の機器を操作可能な操作端末であって、
前記機器を探索すると共に、前記機器から能力情報を取得する機器管理手段と、
前記機器からＡＶデータの一覧を取得するＡＶデータ一覧取得手段と、
前記機器を、ネットワークを介して操作可能な機器連携手段と、
前記機器の能力情報とＡＶデータの一覧情報とに基づいて、前記機器間で連携可能な機能を決定し、この機能を表すアイコンを決定するアイコン表示条件管理手段と、
前記決定されたアイコンを表示する表示手段と
を備えることを特徴とする操作端末。
【請求項２】
ネットワークに接続された複数の機器を操作可能な操作端末と、ＡＶデータを記録可能な第一のデータ記録装置と、ＡＶデータを記録可能な第二のデータ記録装置とで構成されるデータ送受信システムであって、
前記操作端末は、
前記第一のデータ記録装置及び第二のデータ記録装置を探索すると共に、前記装置から能力情報を取得する機器管理手段と、
前記第一のデータ記録装置及び前記第二のデータ記録装置からＡＶデータの一覧を取得するＡＶデータ一覧取得手段と、
前記第二のデータ記録装置を、ネットワークを介して操作可能な機器連携手段と、
前記第一のデータ記録装置及び前記第二のデータ記録装置の能力情報と、前記第一のデータ記録装置及び前記第二のデータ記録装置のＡＶデータの一覧情報とに基づいて、前記機器間で連携可能な機能を決定し、この機能を表すアイコンを決定するアイコン表示条件管理手段と、
前記決定されたアイコンを表示する表示手段と
を備え、
前記第一のデータ記録装置は、
ＡＶデータを蓄積可能な蓄積手段と、
操作端末からの機器検索要求に応答すると共に、能力情報を送信する機器能力管理手段と、
前記蓄積手段に蓄積されたＡＶデータの一覧情報を作成するＡＶデータ一覧管理手段と、
前記蓄積手段に蓄積されたＡＶデータを第二のデータ記録装置に送信するダビング出力管理手段と
を備え、
前記第二のデータ記録装置は、
ＡＶデータを蓄積可能な蓄積手段と、
操作端末からの機器検索要求に応答すると共に、能力情報を送信する機器能力管理手段と、
前記蓄積手段に蓄積されたＡＶデータの一覧情報を作成するＡＶデータ一覧管理手段と、
前記第一のデータ記録装置からＡＶデータを受信し、前記蓄積手段に蓄積するダビング入力管理手段と
を備え、
前記操作端末のアイコン条件管理手段は、前記第一のデータ記録装置及び前記第二のデータ記録装置がダビング可能な能力を持ち且つ、前記第一のデータ記録装置及び前記第二のデータ記録装置に蓄積されているＡＶデータの一覧に差分があった場合、差分アップロードアイコンを表示することを特徴とするデータ送受信システム。
【請求項３】
ＡＶ機器を操作可能な操作端末と、ＡＶデータを記録可能なデータ記録装置と、ＡＶデータを表示可能なデータ表示装置とで構成されるデータ送受信システムであって、
前記操作端末は、
ネットワーク上のデータ記録装置及びデータ表示装置を探索すると共に、前記装置から能力情報を取得する機器管理手段と、
前記データ記録装置或いはデータ表示装置を操作可能な機器連携手段と、
前記データ記録装置に蓄積されたＡＶデータの一覧情報を取得するＡＶデータ一覧取得手段と、
前記データ記録装置及びデータ表示装置の能力情報と、ＡＶデータの一覧情報とに基づいて、前記機器間で連携可能な機能を決定し、この機能を表すアイコンを決定するアイコン表示条件管理手段と、
前記決定されたアイコンを表示する表示手段と
を備え、
前記データ記録装置は、
ＡＶデータを蓄積可能な蓄積手段と、
操作端末からの機器検索要求に応答すると共に、能力情報を送信する機器能力管理手段と、
前記蓄積手段に蓄積されたＡＶデータの一覧情報を作成するＡＶデータ一覧管理手段と、
前記蓄積手段に蓄積されたＡＶデータをデータ表示装置に送信する再生出力管理手段と
を備え、
前記データ表示装置は、
ＡＶデータを再生可能な表示手段と、
操作端末からの機器検索要求に応答すると共に、能力情報を送信する機器能力管理手段と、
前記データ記録装置からＡＶデータを受信する再生入力管理手段と
を備え、
前記操作端末のアイコン条件管理手段は、前記データ表示装置が再生操作可能な能力を持ち且つ、前記データ記録装置に静止画データ及び音楽データが蓄積されていた場合、音楽付きフォトフレームアイコンを表示することを特徴とするデータ送受信システム。
【請求項４】
ネットワークに接続された複数の機器を操作可能な操作方法であって、
前記機器を探索すると共に、前記機器から能力情報を取得する機器管理ステップと、
前記機器からＡＶデータの一覧を取得するＡＶデータ一覧取得ステップと、
前記機器を、ネットワークを介して操作可能な機器連携ステップと、
前記機器の能力情報とＡＶデータの一覧情報とに基づいて、前記機器間で連携可能な機能を決定し、この機能を表すアイコンを決定するアイコン表示条件管理ステップと、
前記決定されたアイコンを表示する表示ステップと
を備えることを特徴とする操作方法。
【請求項５】
ネットワークに接続された複数の機器を操作可能な操作方法と、ＡＶデータを記録可能な第一のデータ記録方法及びＡＶデータを記録可能な第二のデータ記録方法とを含んだデータ送受信方法であって、
前記操作方法は、
前記第一のデータ記録装置及び第二のデータ記録装置を探索すると共に、前記装置から能力情報を取得する機器管理ステップと、
前記第一のデータ記録装置及び前記第二のデータ記録装置からＡＶデータの一覧を取得するＡＶデータ一覧取得ステップと、
前記第二のデータ記録装置を、ネットワークを介して操作可能な機器連携ステップと、
前記第一のデータ記録装置及び前記第二のデータ記録装置の能力情報と、前記第一のデータ記録装置及び前記第二のデータ記録装置のＡＶデータの一覧情報とに基づいて、前記機器間で連携可能な機能を決定し、この機能を表すアイコンを決定するアイコン表示条件管理ステップと、
前記決定されたアイコンを表示する表示ステップと
を備え、
前記第一のデータ記録方法は、
ＡＶデータを蓄積可能な蓄積ステップと、
操作端末からの機器検索要求に応答すると共に、能力情報を送信する機器能力管理ステップと、
前記蓄積手段に蓄積されたＡＶデータの一覧情報を作成するＡＶデータ一覧管理ステップと、
前記蓄積手段に蓄積されたＡＶデータを第二のデータ記録装置に送信するダビング出力管理ステップと
を備え、
前記第二のデータ記録方法は、
ＡＶデータを蓄積可能な蓄積ステップと、
操作端末からの機器検索要求に応答すると共に、能力情報を送信する機器能力管理ステップと、
前記蓄積ステップによって蓄積されたＡＶデータの一覧情報を作成するＡＶデータ一覧管理ステップと、
前記第一のデータ記録装置からＡＶデータを受信し、前記蓄積手段に蓄積するダビング入力管理ステップと
を備え、
前記アイコン条件管理ステップは、前記第一のデータ記録方法及び前記第二のデータ記録方法がダビング可能な能力を持ち且つ、前記第一のデータ記録方法及び前記第二のデータ記録方法によって蓄積されているＡＶデータの一覧に差分があった場合、差分アップロードアイコンを表示することを特徴とするデータ送受信方法。
【請求項６】
ネットワークに接続された複数の機器を操作可能な操作方法と、ＡＶデータを記録可能なデータ記録方法と、ＡＶデータを表示可能なデータ表示方法とを含んだデータ送受信方法であって、
前記操作方法は、
ネットワーク上のデータ記録装置及びデータ表示装置を探索すると共に、前記装置から能力情報を取得する機器管理ステップと、
前記データ記録装置或いはデータ表示装置を操作可能な機器連携ステップと、
前記データ記録装置に蓄積されたＡＶデータの一覧情報を取得するＡＶデータ一覧取得ステップと、
前記データ記録装置及びデータ表示装置の能力情報とＡＶデータの一覧情報とに基づいて、前記機器間で連携可能な機能を決定し、この機能を表すアイコンを決定するアイコン表示条件管理ステップと、
前記決定されたアイコンを表示する表示ステップと
を備え、
前記データ記録方法は、
ＡＶデータを蓄積可能な蓄積ステップと、
操作端末からの機器検索要求に応答すると共に、能力情報を送信する機器能力管理ステップと、
前記蓄積ステップによって蓄積されたＡＶデータの一覧情報を作成するＡＶデータ一覧管理ステップと、
前記蓄積ステップによって蓄積されたＡＶデータをデータ表示装置に送信する再生出力管理ステップと
を備え、
前記データ表示ステップは、
ＡＶデータを再生可能な表示ステップと、
操作端末からの機器検索要求に応答すると共に、能力情報を送信する機器能力管理ステップと、
前記データ記録装置からＡＶデータを受信する再生入力管理ステップと
を備え、
前記操作端末のアイコン条件管理ステップは、前記データ表示装置が再生操作可能な能力を持ち且つ、前記データ記録装置に静止画データ及び音楽データが蓄積されていた場合、音楽付きフォトフレームアイコンを表示することを特徴とするデータ送受信方法。
【請求項７】
ネットワークに接続された複数の機器を操作可能な操作プログラムであって、
前記機器を探索すると共に、前記機器から能力情報を取得する機器管理ステップと、
前記機器からＡＶデータの一覧を取得するＡＶデータ一覧取得ステップと、
前記機器を、ネットワークを介して操作可能な機器連携ステップと、
前記機器の能力情報とＡＶデータの一覧情報とに基づいて、前記機器間で連携可能な機能を決定し、この機能を表すアイコンを決定するアイコン表示条件管理ステップと、
前記決定されたアイコンを表示する表示ステップと
を備えることを特徴とする操作プログラム。
【発明の詳細な説明】
【技術分野】
【０００１】
本発明は、操作端末、データ記録装置、データ表示装置及びデータ送受信システムに関し、特に、機器間でネットワークを介してデータ転送を行うための技術に関する。
【背景技術】
【０００２】
近年、ｘＤＳＬや光ファイバーなどのブロードバンド環境が整ったことにより、企業、一般家庭を問わず高速なインターネット接続環境が普及してきている。また、家庭内のＰＣ（Ｐｅｒｓｏｎａｌ  Ｃｏｍｐｕｔｅｒ）やデジタル家電機器をＥｔｈｅｒｎｅｔ（登録商標）や無線ＬＡＮなどで接続するホームネットワーク環境も一般化してきている。
【０００３】
そのため、インターネット接続環境やホームネットワーク環境にあるデジタル家電機器間やデジタル家電機器とＰＣとの間で様々なアプリケーションが実行できるようになることが望まれている。様々なアプリケーションとは、例えば、ＤＶＤ（Ｄｉｇｉｔａｌ  Ｖｅｒｓａｔｉｌｅ  Ｄｉｓｋ）レコーダに蓄積した映像音声データ（以下、ＡＶデータと記載）をＰＣに転送して視聴または編集するアプリケーションや、ＤＶＤレコーダに蓄積したＡＶデータを他のＤＶＤレコーダに転送（ダビング）するアプリケーションなどである。それにより、ユーザは、ＡＶデータの所在場所を意識することなく、自由にデータを扱える。
【０００４】
上記のようなアプリケーションを実現するために、ＤＬＮＡ（ Ｄｉｇｉｔａｌ  Ｌｉｖｉｎｇ  Ｎｅｔｗｏｒｋ  Ａｌｌｉａｎｃｅ） によって、コンテンツ伝送の仕様（ＤＬＮＡガイドライン） が策定されたことで、当該仕様に対応した種々の機器が開発されている。
【０００５】
近年、上記仕様に対応した機器が数多く市場に登場したこともあり、機器同士の組み合わせによって実現可能な機能が多くなり、非常に複雑化している。そこで、当該機器同士の組み合わせによって、どういった機能を実現できるかをユーザに分かりやすく表示し、簡単に操作できるようになる端末に対する要望が強くなっている。
【０００６】
こういった問題に関連する技術として、下記特許文献１には、ホームサーバが、第一の機器と第二の機器とが連携して実現可能な動作内容を関連付けた機器連携制御情報を記憶する機器連携制御情報記憶部を備え、前記機器連携制御情報記憶部に記憶されている機器連携制御情報を参照してメニュー画面情報を生成し、生成した画面情報を操作端末に送信する技術が公開されている。
【０００７】
ＡＶデータ伝送に関する技術の詳細は、非特許文献１、非特許文献２、非特許文献３、非特許文献４に開示されている。
【先行技術文献】
【特許文献】
【０００８】
【特許文献１】特開２００６−３１９９６０号公報
【非特許文献】
【０００９】
【非特許文献１】ＤＬＮＡ  Ｎｅｔｗｏｒｋｅｄ  Ｄｅｖｉｃｅ  Ｉｎｔｅｒｏｐｅｒａｂｉｌｉｔｙ  Ｇｕｉｄｅｌｉｎｅｓ
【非特許文献２】ＵＰｎＰＴＭ  Ｄｅｖｉｃｅ  Ａｒｃｈｉｔｅｃｔｕｒｅ  １．０
【非特許文献３】ＵＰｎＰＴＭ  ＣｏｎｔｅｎｔＤｉｒｅｃｔｏｒｙ：２  Ｓｅｒｖｉｃｅ  ＴｅｍｐｌａｔｅＶｅｒｓｉｏｎ１．０１
【非特許文献４】ＵＰｎＰＴＭ  ＡＶＴｒａｎｓｐｏｒｔ：２  Ｓｅｒｖｉｃｅ  ＴｅｍｐｌａｔｅＶｅｒｓｉｏｎ１．０１
【発明の概要】
【発明が解決しようとする課題】
【００１０】
しかしながら、前記特許文献１に記載の技術においては、ホームサーバは、第一の機器と第二の機器とが連携して実現可能な動作内容を関連付けた機器連携制御情報のみを参照してメニュー画面情報を生成するため、ＡＶデータの属性の種類によって、さらに連携機能が変化する場合、対応できないという課題があった。
【００１１】
そこで、本発明は、上記の問題点に鑑みてなされたものであり、操作端末は、データ記録装置、データ表示装置の能力及びデータ記録装置が蓄積しているＡＶデータの属性によって、連携可能な機能を決定し、画面上にアイコンを表示する操作端末、データ表示装置、データ記録装置及びデータ送受信システムを提供することを目的とする。
【課題を解決するための手段】
【００１２】
上記目的を達成するために、本発明の操作端末は、ネットワークに接続された複数の機器を操作可能な操作端末であって、前記機器を探索すると共に、前記機器から能力情報を取得する機器管理手段と、前記機器からＡＶデータの一覧を取得するＡＶデータ一覧取得手段と、前記機器を、ネットワークを介して操作可能な機器連携手段と、前記機器の能力情報とＡＶデータの一覧情報とに基づいて、前記機器間で連携可能な機能を決定し、この機能を表すアイコンを決定するアイコン表示条件管理手段と、前記決定されたアイコンを表示する表示手段とを備えることを特徴とするものである。
【００１３】
また、本発明のデータ送受信システムは、ネットワークに接続された複数の機器を操作可能な操作端末と、ＡＶデータを記録可能な第一のデータ記録装置と、ＡＶデータを記録可能な第二のデータ記録装置とで構成されるデータ送受信システムであって、前記操作端末は、前記第一のデータ記録装置及び第二のデータ記録装置を探索すると共に、前記装置から能力情報を取得する機器管理手段と、前記第一のデータ記録装置及び前記第二のデータ記録装置からＡＶデータの一覧を取得するＡＶデータ一覧取得手段と、前記第二のデータ記録装置を、ネットワークを介して操作可能な機器連携手段と、前記第一のデータ記録装置及び前記第二のデータ記録装置の能力情報と、前記第一のデータ記録装置及び前記第二のデータ記録装置のＡＶデータの一覧情報とに基づいて、前記機器間で連携可能な機能を決定し、この機能を表すアイコンを決定するアイコン表示条件管理手段と、前記決定されたアイコンを表示する表示手段とを備え、前記第一のデータ記録装置は、ＡＶデータを蓄積可能な蓄積手段と、操作端末からの機器検索要求に応答すると共に、能力情報を送信する機器能力管理手段と、前記蓄積手段に蓄積されたＡＶデータの一覧情報を作成するＡＶデータ一覧管理手段と、前記蓄積手段に蓄積されたＡＶデータを第二のデータ記録装置に送信するダビング出力管理手段とを備え、前記第二のデータ記録装置は、ＡＶデータを蓄積可能な蓄積手段と、操作端末からの機器検索要求に応答すると共に、能力情報を送信する機器能力管理手段と、前記蓄積手段に蓄積されたＡＶデータの一覧情報を作成するＡＶデータ一覧管理手段と、前記第一のデータ記録装置からＡＶデータを受信し、前記蓄積手段に蓄積するダビング入力管理手段とを備え、前記操作端末のアイコン条件管理手段は、前記第一のデータ記録装置及び前記第二のデータ記録装置がダビング可能な能力を持ち且つ、前記第一のデータ記録装置及び前記第二のデータ記録装置に蓄積されているＡＶデータの一覧に差分があった場合、差分アップロードアイコンを表示することを特徴とするものである。
【００１４】
また、本発明のデータ送受信システムは、ＡＶ機器を操作可能な操作端末と、ＡＶデータを記録可能なデータ記録装置と、ＡＶデータを表示可能なデータ表示装置とで構成されるデータ送受信システムであって、前記操作端末は、ネットワーク上のデータ記録装置及びデータ表示装置を探索すると共に、前記装置から能力情報を取得する機器管理手段と、前記データ記録装置或いはデータ表示装置を操作可能な機器連携手段と、前記データ記録装置に蓄積されたＡＶデータの一覧情報を取得するＡＶデータ一覧取得手段と、前記データ記録装置及びデータ表示装置の能力情報と、ＡＶデータの一覧情報とに基づいて、前記機器間で連携可能な機能を決定し、この機能を表すアイコンを決定するアイコン表示条件管理手段と、前記決定されたアイコンを表示する表示手段とを備え、
前記データ記録装置は、ＡＶデータを蓄積可能な蓄積手段と、操作端末からの機器検索要求に応答すると共に、能力情報を送信する機器能力管理手段と、前記蓄積手段に蓄積されたＡＶデータの一覧情報を作成するＡＶデータ一覧管理手段と、前記蓄積手段に蓄積されたＡＶデータをデータ表示装置に送信する再生出力管理手段とを備え、前記データ表示装置は、ＡＶデータを再生可能な表示手段と、操作端末からの機器検索要求に応答すると共に、能力情報を送信する機器能力管理手段と、前記データ記録装置からＡＶデータを受信する再生入力管理手段とを備え、前記操作端末のアイコン条件管理手段は、前記データ表示装置が再生操作可能な能力を持ち且つ、前記データ記録装置に静止画データ及び音楽データが蓄積されていた場合、音楽付きフォトフレームアイコンを表示することを特徴とするものである。
【００１５】
なお、本発明は、装置として実現するだけでなく、このような装置が備える処理手段を備える集積回路として実現したり、その装置を構成する処理手段をステップとする方法として実現したり、それらステップをコンピュータに実行させるプログラムとして実現したり、そのプログラムを示す情報、データまたは信号として実現したりすることもできる。そして、それらプログラム、情報、データ及び信号は、ＣＤ−ＲＯＭ等の記録媒体やインターネット等の通信媒体を介して配信してもよい。
【発明の効果】
【００１６】
本発明によれば、ホームネット環境を経由して接続された複数の機器間で、容易に差分ダビングや、音楽付スライドショー等が実現できる操作端末、データ記録装置、データ表示装置、及びデータ送受信システムを実現することができる。よって、デジタル家電機器間やデジタル家電機器と携帯端末の間を結ぶインターネット接続環境やホームネットワーク環境が一般化しつつある今日における本発明の実用的価値は極めて高い。
【図面の簡単な説明】
【００１７】
【図１】本発明の実施の形態１及び２における操作端末の画面イメージを示した図
【図２】本発明の実施の形態１及び２における操作端末とデータ記録装置とデータ表示装置の概略構成を示した図
【図３】本発明の実施の形態１における操作端末と第一のデータ記録装置と第二のデータ記録装置との間のシーケンス図
【図４】本発明における操作端末が、データ記録装置を検索する際のシーケンス図
【図５】ＤＬＮＡで規定されている機器の能力を表す情報を示す図
【図６】本発明における操作端末が、データ記録装置が蓄積しているＡＶデータの一覧を取得する際のシーケンス図
【図７】本発明の実施の形態１における操作端末が管理するデータ記録装置の能力情報を概念的に示す図
【図８】本発明の実施の形態１における操作端末が管理するデータ記録装置が蓄積しているＡＶデータの属性情報を概念的に示す図
【図９】本発明の実施の形態１における第一のデータ記録装置の構成を示すブロック図
【図１０】本発明における第二のデータ記録装置の構成を示すブロック図
【図１１】本発明における操作端末の構成を示すブロック図
【図１２】本発明における第二のデータ記録装置の撮影動作を説明するフローチャート
【図１３】本発明の実施の形態１における操作端末の動作を説明するフローチャート
【図１４】本発明における第二のデータ記録装置が、第一のデータ記録装置に対してＡＶデータをダビングする際の動作を説明するフローチャート
【図１５】本発明における第二のデータ記録装置が、第一のデータ記録装置からＡＶデータをダビングする際の動作を説明するフローチャート
【図１６】本発明の実施の形態２における操作端末とデータ記録装置とデータ表示装置との間のシーケンス図
【図１７】本発明の実施の形態１における操作端末が管理するデータ記録装置の能力情報を概念的に示す図
【図１８】本発明の実施の形態１における操作端末が管理するデータ記録装置が蓄積しているＡＶデータの属性情報を概念的に示す図
【図１９】本発明の実施の形態２におけるデータ記録装置の構成を示すブロック図
【図２０】本発明の実施の形態２におけるデータ表示装置の構成を示すブロック図
【図２１】本発明の実施の形態２における操作端末の動作を説明するフローチャート
【図２２】本発明の実施の形態２におけるデータ記録装置の動作を説明するフローチャート
【図２３】本発明の実施の形態２におけるデータ表示装置の動作を説明するフローチャート
【発明を実施するための形態】
【００１８】
以下、本発明を実施するための形態について、図面を参照しながら説明する。
【００１９】
（実施の形態１）
図２に、実施の形態１における操作端末とデータ記録装置とデータ表示装置の概略構成を示す。本実施の形態では、ポータブル端末（操作端末２０４）を操作して、ムービー（データ記録装置２０３）に蓄積されたＡＶデータを、ムービーがＡＶデータを転送可能なレコーダ機器（データ記録装置２０１）に差分ダビングする方法に関して説明する。
【００２０】
図３は、データ記録装置２０１、データ記録装置２０３及び操作端末２０４間のシーケンス図である。２０６はルーター、２０７はインターネットである。
【００２１】
最初に、操作端末２０４は、ＵＰｎＰ（登録商標）（Ｕｎｉｖｅｒｓａｌ  Ｐｌｕｇ  ａｎｄ  Ｐｌａｙ）を利用して、ネットワークに接続されたデータ記録装置２０１及びデータ記録装置２０３を探索する（Ｓ３０１）。
【００２２】
操作端末２０４は、発見した機器がＡＶデータを配信可能であり且つ、ダビング可能な機器であると判断した場合、前記データ記録装置２０１及びデータ記録装置２０３からデータ記録装置が蓄積しているＡＶデータの一覧を取得する（Ｓ３０２〜Ｓ３０３）。尚、ＵＰｎＰ（登録商標）技術を利用した機器発見方法及びＡＶデータを配信可能なサーバ機器の判断方法に関しては、非特許文献２に詳細な説明があるため、そちらを参照されたい。また、ＡＶデータの一覧の取得方法の詳細に関しては、非特許文献３に詳細な記載があるため、そちらを参照されたい。
【００２３】
操作端末２０４は、前記受信した機器の能力情報及びＡＶデータ一覧情報に基づいて、表示するアイコンを決定する。本実施の形態の例では、データ記録装置２０１及びデータ記録装置２０３の能力情報に「ダビング能力」が含まれており、さらにデータ記録装置２０１の持つＡＶデータ一覧とデータ記録装置２０３の持つＡＶデータ一覧に差分があった場合、操作端末２０４は、図１に示すような差分アップロードアイコン（１０１）を表示する。尚、差分アップロードアイコンの表示方法の詳細に関しては、後述する。
【００２４】
表示するアイコンが無かった場合は、処理を終了する（Ｓ３０５）。
【００２５】
差分アップロードアイコンが選択された場合、操作端末２０４は、データ記録装置２０３に対して、ダビング要求を送信する（Ｓ３０６）。
【００２６】
データ記録装置２０３は、操作端末２０４からダビング要求を受信すると、データ記録装置２０１に対して、ＣｒｅａｔｅＯｂｊｅｃｔ要求を送信する（Ｓ３０７）。ＣｒｅａｔｅＯｂｊｅｃｔ要求は、ＵＰｎＰ（登録商標）で規定されているものであり、ＡＶデータを相手機器にダビングする際に使用するものである。ＣｒｅａｔｅＯｂｊｅｃｔに関する詳細は、非特許文献３に詳細な記載があるため、そちらを参照されたい。
【００２７】
データ記録装置２０３は、データ記録装置２０１からＣｒｅａｔｅＯｂｊｅｃｔ要求に対する成功応答を受信すると、データ記録装置２０１に対して、ＡＶデータの送信を開始する（Ｓ３０８）。ＡＶデータの送信方法に関しては、非特許文献１に詳細な記載があるため、そちらを参照されたい。
【００２８】
次に、操作端末２０４が、ネットワーク上のデータ記録装置から能力情報及びＡＶデータ一覧情報を受信し、差分アップロードアイコンを表示する方法に関して説明する。
【００２９】
図４は、操作端末２０４が、データ記録装置２０１及びデータ記録装置２０３を探索する際のシーケンスを示した図である。本シーケンスは、図３のフローチャートにおけるＳ３０１に該当する処理を、詳細に記載したものである。
【００３０】
最初に、操作端末２０４は、Ｍ−ＳＥＡＲＣＨ要求を送信する（Ｓ４０１）。Ｍ−ＳＥＡＲＣＨ要求は、ネットワーク上に接続された機器を探索するために送信するものである。尚、Ｍ−ＳＥＡＲＣＨ要求に関しては、非特許文献２に詳細な記載があるため、そちらを参照されたい。Ｍ−ＳＥＡＲＣＨ要求に応答できる装置（データ記録装置２０１、データ記録装置２０３）は、Ｍ−ＳＥＡＲＣＨ要求を送信した装置（操作端末２０４）に対して、Ｍ−ＳＥＡＲＣＨ応答を送信する（Ｓ４０２）。
【００３１】
Ｍ−ＳＥＡＲＣＨ応答を受信した操作端末２０４は、前記Ｍ−ＳＥＡＲＣＨ応答を送信したデータ記録装置２０１及びデータ記録装置２０３から能力情報（Ｄｅｖｉｃｅ  Ｄｅｓｃｒｉｐｔｉｏｎ  Ｄｏｃｕｍｅｎｔ）を取得する（Ｓ４０３〜Ｓ４０４）。機器の能力情報の取得方法及び能力情報の内容の詳細に関しては、非特許文献１及び非特許文献２に詳細な記載があるため、そちらを参照されたい。操作端末２０４は、取得した能力情報を参照することにより、データ記録装置２０１及びデータ記録装置２０３がＡＶデータのダビングに対応しているか否かを確認することが可能となる。
【００３２】
図５は、前記能力情報に含まれる、「ダビング機能に対応しているか否か」を示す情報の例である。＜ｄｌｎａ：Ｘ＿ＤＬＮＡＣＡＰ＞は、能力情報を示すタグであり、前記タグ内に含まれる「ａｖ−ｕｐｌｏａｄ」は、当該機器がＡＶデータのダビングに対応していることを示す値である。前記能力情報に関しては、非特許文献１に詳細な説明があるため、そちらを参照されたい。
【００３３】
操作端末２０４は、前記機器から取得した能力情報に前記「ａｖ−ｕｐｌｏａｄ」の値が含まれるか否かを確認し、含まれている場合は、ＡＶデータをダビング可能なデータ記録装置であると判断し、含まれていない場合、ＡＶデータをダビング不可能なデータ記録装置であると判断する。ここで、本実施の形態の例では、ＵＰｎＰの能力情報を利用して、ＡＶデータのダビングが可能か否かを判断しているが、本発明は前記方法に限定されるものではなく、他の方法を用いて判断しても良い。
【００３４】
図６は、操作端末２０４が、データ記録装置２０１及びデータ記録装置２０３からＡＶデータ一覧情報を取得する際のシーケンス図を示した図である。
【００３５】
操作端末２０４は、データ記録装置２０１及びデータ記録装置２０３から取得た能力情報に基づいて、ＣＤＳ：Ｂｒｏｗｓｅ要求を送信する（Ｓ６０１）。データ記録装置２０３は、ＣＤＳ：Ｂｒｏｗｓｅ要求を受信すると、ＡＶデータ一覧情報を含んだＣＤＳ：Ｂｒｏｗｓｅ応答を操作端末２０４に対して送信する（Ｓ６０２）。前記ＣＤＳ：Ｂｒｏｗｓｅ応答には、前記ＡＶデータの属性情報を含んだメタデータが含まれる。ＣＤＳ：Ｂｒｏｗｓｅ要求／応答は、ＡＶデータ一覧情報を取得する際に使用するものであり、ＵＰｎＰ（登録商標）で規定されている。ＣＤＳ：Ｂｒｏｗｓｅ要求／応答の詳細に関しては、非特許文献３に詳細な説明があるため、そちらを参照されたい。
【００３６】
図７及び図８は、操作端末２０４が管理するアイコンデータ表示条件を概念的に示した図である。アイコンデータ表示条件は、機器ＩＤ、機器能力、データ種別、データＩＤ、データ名で構成される。
【００３７】
図７は、データ記録装置２０１及びデータ記録装置２０３から取得した機器能力情報を概念的に示した図である。
【００３８】
機器ＩＤは、操作端末２０４が機器毎に割り当てるＩＤである。本実施の形態の例では、データ記録装置２０１は、「２０１」、データ記録装置２０３は、「２０３」が割り当てられている。
【００３９】
機器能力は、前記操作端末が、データ記録装置から取得した能力情報に基づいて作成するものである。本実施の形態の例のデータ記録装置２０１、データ記録装置２０３は、ＡＶデータ一覧配信（Ｂｒｏｗｓｅ）、ダビング（ａｖ−ｕｐｌｏａｄ）に対応しているため、前記能力に対応していることを示すデータが登録されている。尚、機器能力に関しては、これらに限定されるものではなく、操作端末がネットワークを経由して制御可能なあらゆるデータ記録装置の能力情報を含む。
【００４０】
７０１〜７０２に関しては、データ記録装置２０１に関する能力情報であり、７０３〜７０４に関しては、データ記録装置２０３に関する能力情報である。
【００４１】
７０１及び７０３は、ＡＶデータ一覧を配信可能な能力を示す「Ｂｒｏｗｓｅ」が登録されている。
【００４２】
７０２及び７０４は、ダビングが可能な能力を示す「ａｖ−ｕｐｌｏａｄ」が登録されている。
【００４３】
図８は、データ記録装置２０１及びデータ記録装置２０３から取得したＡＶデータ一覧を概念的に示す図である。
【００４４】
機器ＩＤは、図７で説明したため、割愛する。
【００４５】
データ種別は、蓄積されているＡＶデータの種別を表すものである。本実施の形態の例では、映像を表す「Ｖｉｄｅｏ」、音楽を表す「Ａｕｄｉｏ」、静止画を表す「Ｉｍａｇｅ」が存在している。データ記録装置２０１は、「Ｉｍａｇｅ」「Ａｕｄｉｏ」「Ｖｉｄｅｏ」を蓄積し、データ記録装置２０３は、「Ｖｉｄｅｏ」を蓄積している。尚、データ種別に関しては、これらに限定されるものではなく、データ記録装置が処理可能なあらゆる種類の種別を含む。
【００４６】
データＩＤは、データ記録装置が、ＡＶデータに対して割り当てるＩＤである。
【００４７】
データ名は、ＡＶデータを識別する名称である。データ名は、データ記録装置がＡＶデータを蓄積する際に付与されても良いし、ＴＶの番組名のようにデータ記録装置に蓄積される前に、付与されていても良い。
【００４８】
８０１〜８０４は、データ記録装置２０１に蓄積されているＡＶデータに関する情報であり、８０５〜８０７は、データ記録装置２０３に蓄積されているＡＶデータに関する情報である。
【００４９】
８０１は、データ種別が「Ｉｍａｇｅ」（静止画データ）であり、データＩＤが「１」、データ名が「ＡＡＡＡＡ」である。８０２は、データ種別が「Ａｕｄｉｏ」（音楽データ）であり、データＩＤが「２」、データ名が「ＢＢＢＢＢ」である。８０３は、データ種別が「Ｖｉｄｅｏ」（動画データ）であり、データＩＤが「３」、データ名が「ＣＣＣＣＣ」である。８０４は、データ種別が「Ｖｉｄｅｏ」（動画データ）であり、データＩＤが「４」、データ名が「ＤＤＤＤＤ」である。
【００５０】
８０５は、データ種別が「Ｖｉｄｅｏ」（動画データ）であり、データＩＤが「３」、データ名が「ＣＣＣＣＣ」である。８０６は、データ種別が「Ｖｉｄｅｏ」（動画データ）であり、データＩＤが「４」、データ名が「ＤＤＤＤＤ」である。８０７は、データ種別が「Ｖｉｄｅｏ」（動画データ）であり、データＩＤが「５」、データ名が「ＥＥＥＥＥ」である。
【００５１】
ここで、本実施の形態の例では、データ記録装置２０１とデータ記録装置２０３との間において、データＩＤ及びデータ名が同じＡＶデータに関しては、同じＡＶデータであることを示す。そのため、データ記録装置２０１と、データ記録装置２０３は、データＩＤが「３」、データ名が「ＣＣＣＣＣ」及びデータＩＤが「４」、データ名が「ＤＤＤＤＤ」のＡＶデータを共通して蓄積していることになる。尚、データ一致の検出方法に関しては、ＩＤとデータ名に限定されるものではない。
【００５２】
また、データＩＤ「５」のＡＶデータに関しては、データ記録装置２０３のみが蓄積しているため、差分アップロードの対象となる。
【００５３】
操作端末２０４は、データ記録装置２０１及びデータ記録装置２０３が「ａｖ−ｕｐｌｏａｄ」機能を持ち且つ、蓄積しているＡＶデータに差分があるため、差分アップロードが可能であると判断し、差分アップロードアイコン１０１を表示するものである。
【００５４】
次に、本発明の実施の形態１におけるデータ記録装置２０１、データ記録装置２０３及び操作端末２０４の構成に関して説明する。
【００５５】
図９は、本発明の実施の形態１におけるデータ記録装置２０１の構成を示すブロック図である。
【００５６】
通信部９０１は、ネットワークを介して、操作端末２０４或いは、データ記録装置２０３に対して、ＡＶデータを送信或いは受信するものである。通信部９０１は、無線／有線どちらの形態であっても良い。
【００５７】
蓄積部９０２は、撮影したＡＶデータ及びＡＶデータ一覧情報を記録するものである。蓄積部９０２は、例えばＨＤＤや、ＤＶＤ、ＢＤ（Ｂｌｕ−ｒａｙ  Ｄｉｓｋ）などで構成される。
【００５８】
ＡＶデータ一覧管理部９０３は、データ記録装置２０１の蓄積部９０２に記録されているＡＶデータの一覧を作成すると共に、操作端末２０４からの要求に応じて、前記ＡＶデータの一覧を送信するものである。ＡＶデータの一覧は、ＡＶデータを撮影した際に作成し、蓄積部９０２に蓄積するようにしても良いし、操作端末からの要求を受信した際に、逐次に作成するようにしても良い。ＡＶデータ一覧は、例えば、データ名、撮影日時、撮影時間、映像品質等で構成される。
【００５９】
ダビング入力管理部９０４は、データ記録装置２０３からＡＶデータを受信し、蓄積部９０２に記録するものである。また、ダビング入力管理部９０４は、ＡＶデータ受信完了後、ＡＶデータ一覧管理部９０３が管理するＡＶデータ一覧に、前記受信したＡＶデータの情報を追加する。
【００６０】
図１０は、本発明の実施の形態におけるデータ記録装置２０３の構成を示すブロック図である。
【００６１】
データ記録装置２０３は、通信部１００１と、ＡＶデータ一覧管理部１００２と、蓄積部１００３と、撮像部１００４と、ダビング出力管理部１００５とで構成される。
【００６２】
通信部１００１は、ネットワークを介して、データ記録装置２０１或いは、操作端末２０４に対して、ＡＶデータを送信或いは受信するものである。通信部１００１は、無線／有線どちらの形態であっても良い。
【００６３】
ＡＶデータ一覧管理部１００２は、データ記録装置２０３の蓄積部１００３に記録されているＡＶデータの一覧を作成すると共に、操作端末２０４からの要求に応じて、前記ＡＶデータの一覧を送信するものである。ＡＶデータの一覧は、ＡＶデータを撮影した際に作成し、蓄積部１００３に蓄積するようにしても良いし、操作端末２０４から要求を受信した際に、逐次作成するようにしても良い。ＡＶデータ一覧は、例えば、データ名、撮影日時、撮影時間、映像品質等で構成される。
【００６４】
蓄積部１００３は、撮影したＡＶデータ及びＡＶデータ一覧情報を記録するものである。蓄積部１００３は、例えばＨＤＤや、ＤＶＤ、ＢＤ（Ｂｌｕ−ｒａｙ  Ｄｉｓｋ）などで構成される。
【００６５】
撮像部１００４は、映像を撮影し、記録可能な形式のＡＶデータに変換するものである。前記変換処理の詳細に関しては、本発明の内容と関係しないため、詳述しない。
【００６６】
ダビング出力管理部１００５は、蓄積部１００３に記録されたＡＶデータを、データ記録装置２０１に対して送信するものである。
【００６７】
図１１は、本発明の実施の形態１における操作端末２０４の構成を示すブロック図である。操作端末２０４は、通信部１１０１と、表示部１１０２と、機器連携部１１０３と、アイコン表示条件管理部１１０４と、機器管理部１１０５とで構成される。
【００６８】
通信部１１０１は、データ記録装置２０１で説明した構成と同様のため、説明を割愛する。
【００６９】
表示部１１０２は、アイコン表示条件管理部１００４が決定したアイコン画像を表示するものである。
【００７０】
機器連携部１１０３は、データ記録装置２０１及びデータ記録装置２０３に対して、ダビング要求、再生要求等のアクション要求を送信するものである。前記アクション要求に関しては、非特許文献４に詳細な記載があるため、そちらを参照願いたい。尚、アクション要求の種類は、これらに限定されるものではない。
【００７１】
アイコン表示条件管理部１１０４は、ネットワーク上の機器から取得した能力情報及びＡＶデータ一覧情報を確認し、表示可能なアイコンがあると判断した場合、表示部１１０２に前記アイコンを表示する。
【００７２】
次に、本発明の実施の形態におけるデータ記録装置２０１、２０３及び操作端末２０４の動作について説明する。
【００７３】
図１２は、本発明の実施の形態におけるデータ記録装置２０３の撮影処理を説明するフローチャート図である。
【００７４】
最初に、データ記録装置２０３における撮像部１００４は、映像の撮影を開始する（Ｓ１２０２）。撮影した映像は、蓄積部１００３に記録される（Ｓ１２０３）。撮影が終了すると、ＡＶデータ一覧管理部１００２は、前記蓄積した映像に関する情報をＡＶデータ一覧に追加する（Ｓ１２０４）。
【００７５】
図１３は、本発明の実施の形態における操作端末２０４のアイコン表示処理を説明するフローチャート図である。
【００７６】
最初に、操作端末２０４における機器管理部１１０５は、ネットワークに接続されたデータ記録装置の探索を開始する（Ｓ１３０２）。データ記録装置２０１或いは、データ記録装置２０３が存在した場合、データ記録装置からの応答を受信し、前記データ記録装置の能力情報を取得する（Ｓ１３０４）。データ記録装置２０１或いは、データ記録装置２０３が存在しない場合、タイムアウト発生後、処理を終了する。
【００７７】
機器を発見した場合、アイコン表示条件管理部１１０４は、前記データ記録装置２０１或いは、データ記録装置２０３から受信した能力情報を記録する（Ｓ１３０４〜Ｓ１３０５）。
【００７８】
次に、機器連携部１１０３は、前記アイコン表示条件管理部１１０４が管理する能力情報に基づいて、発見したデータ記録装置がＡＶデータ一覧を配信可能か否かを確認し（Ｓ１３０６）、ＡＶデータ一覧を配信可能であった場合には、前記データ記録装置からＡＶデータ一覧を取得する（Ｓ１３０７）。さらに、アイコン表示条件管理部１１０４は、前記受信したＡＶデータ一覧情報を記録する（Ｓ１３０８）。ＡＶデータ一覧を配信不可能であった場合、処理を終了する。
【００７９】
次に、アイコン表示条件管理部１１０４は、前記データ記録装置の能力情報及びＡＶデータ一覧のデータ種別を確認する（Ｓ１３０９）。差分アップロードアイコンを表示可能であると判断した場合、表示部１１０２は、差分アップロードアイコンを表示する（Ｓ１３１０〜Ｓ１３１１）。アイコン表示条件管理部１１０４は、全てのアイコンを表示不可能であると判断した場合、処理を終了する。
【００８０】
前記差分アップロードアイコンが選択された場合、機器連携部１１０３は、データ記録装置２０３に対して、ダビング要求を送信する（Ｓ１３１２）。
【００８１】
図１４は、本発明の実施の形態におけるデータ記録装置２０３のダビング処理を説明するフローチャート図である。
【００８２】
最初に、通信部１００１は、操作端末２０４から受信した機器発見要求に応答する（Ｓ１４０２）。
【００８３】
次に、ＡＶデータ一覧管理部１００２は、操作端末２０４からの要求に応じて、ＡＶデータ一覧を送信する（Ｓ１４０３）。
【００８４】
次に、ダビング出力管理部１００５は、操作端末２０４からのダビング出力要求を受信し、データ記録装置２０１へのダビング出力を開始する（Ｓ１４０４〜Ｓ１４０５）。
【００８５】
図１５は、本発明の実施の形態におけるデータ記録装置２０１のダビング処理を説明するフローチャート図である。データ記録装置２０１は、データ記録装置２０３からのダビング要求に従って、前記データ記録装置２０３に蓄積されたＡＶデータを受信し、蓄積する。
【００８６】
最初に、通信部９０１は、データ記録装置２０３からの機器発見要求を受信し、応答を送信する（Ｓ１５０２）。
【００８７】
次に、ＡＶデータ一覧管理部９０３は、操作端末２０４からの要求に応じて、ＡＶデータ一覧を送信する（Ｓ１５０３）。
【００８８】
次に、ダビング入力管理部９０４は、データ記録装置２０３からＡＶデータを受信する（Ｓ１５０４）。蓄積部９０２は、前記ダビング入力管理部９０４が受信したＡＶデータを蓄積する（Ｓ１５０５）。ＡＶデータの受信が完了すると、ＡＶデータ一覧管理部９０３は、前記蓄積したＡＶデータの情報をＡＶデータ一覧に追加する（Ｓ１５０６）。
【００８９】
以上、本発明の実施の形態においては、操作端末を利用した簡単な操作で、データ記録装置が蓄積しているＡＶデータを他のデータ記録装置に差分アップロード可能となるデータ記録装置、データ表示装置及びデータ送受信システムを実現できる。
【００９０】
（実施の形態２）
本実施の形態２では、ポータブル端末（操作端末２０４）を操作して、ＰＣ（データ記録装置２０５）に蓄積された静止画データ及び音楽データを、ＴＶ（データ表示装置２０２）で表示（音楽付きフォトフレーム）する方法に関して説明する。
【００９１】
図１６は、データ表示装置２０２、データ記録装置２０５及び操作端末２０４間のシーケンス図である。
【００９２】
最初に、操作端末２０４は、ＵＰｎＰ（登録商標）を利用して、ネットワークに接続されたデータ表示装置２０２及びデータ記録装置２０５を探索する（Ｓ１６０１）。
【００９３】
操作端末２０４は、発見した機器（データ記録装置２０５）がＡＶデータを配信可能な機器であると判断した場合、前記データ記録装置２０５から蓄積済みのＡＶデータの一覧を取得する（Ｓ１６０２〜Ｓ１６０３）。また、発見した機器（データ表示装置２０２）が操作可能な機器であると判断した場合、操作可能対象機器として登録する。尚、ＵＰｎＰ（登録商標）技術を利用した機器発見方法及びＡＶデータを配信可能なサーバ機器の判断方法に関しては、非特許文献２に詳細な説明があるため、そちらを参照されたい。また、ＡＶデータの一覧の取得方法の詳細に関しては、非特許文献３に詳細な記載があるため、そちらを参照されたい。
【００９４】
操作端末２０４は、前記受信したデータ表示装置２０２及びデータ記録装置２０５機器の能力情報及びＡＶデータ一覧情報に基づいて、表示するアイコンを決定する（Ｓ１６０４）。本実施の形態の例では、データ表示装置２０２の能力情報に「再生能力」が含まれており、さらにデータ記録装置２０５の持つＡＶデータ一覧に静止画データと、音楽データが含まれる場合、音楽付きフォトフレームアイコン（１０２）を表示する。尚、音楽付きフォトフレームアイコンの表示方法に関しては、後述する。
【００９５】
表示するアイコンが無かった場合は、処理を終了する（Ｓ１６０４）。
【００９６】
音楽付きフォトフレームアイコンが選択された場合、操作端末２０４は、データ表示装置２０２に対して、再生要求を送信する（Ｓ１６０５）。
【００９７】
データ表示装置２０２は、操作端末２０４から再生要求を受信すると、データ記録装置２０５に対して、静止画データの取得（Ｓ１６０６）及び音楽データの取得（Ｓ１６０７）を開始する。静止画データの取得方法及び音楽データの取得方法に関しては、非特許文献１に詳細な記載があるため、そちらを参照されたい。
【００９８】
データ表示装置２０２は、前記取得した静止画データと、音楽データの出力を開始する。
【００９９】
図１７は、データ記録装置２０５及びデータ表示装置２０２から取得した機器能力情報を概念的に示した図である。表示条件の項目の詳細に関しては、実施の形態１で説明済みのため、割愛する。
【０１００】
１７０１は、データ記録装置２０５に関する能力情報であり、１７０２は、データ表示装置２０２に関する能力情報である。
【０１０１】
１７０１は、ＡＶデータ一覧を配信可能な能力を示す「Ｂｒｏｗｓｅ」が登録されている。
【０１０２】
１７０２は、再生操作可能な能力を示す「Ｒｅｎｄｅｒｅｒ」が登録されている。
【０１０３】
図１８は、データ記録装置２０５から取得したＡＶデータ一覧を概念的に示す図である。
【０１０４】
１８０１は、データ種別が「Ｉｍａｇｅ」（静止画データ）であり、データＩＤが「１」、データ名が「α１」である。１８０２は、データ種別が「Ｉｍａｇｅ」（静止画データ）であり、データＩＤが「２」、データ名が「α２」である。１８０３は、データ種別が「Ａｕｄｉｏ」（音楽データ）であり、データＩＤが「３」、データ名が「β１」である。１８０４は、データ種別が「Ｖｉｄｅｏ」（動画データ）であり、データＩＤが「４」、データ名が「γ１」である。
【０１０５】
データ記録装置２０５は、静止画データを２種類（１８０１、１８０２）、音楽データを１種類（１８０３）及び動画データ（１８０４）を保持している。
【０１０６】
データ表示装置２０２は、再生操作能力を保有している（１７０１）。そこで、操作端末２０４は、音楽付きフォトフレーム機能が可能であると判断し、音楽付きフォトフレームアイコン１０２を表示するものである。
【０１０７】
図１９は、本発明の実施の形態２におけるデータ記録装置２０５の構成を示すブロック図である。データ記録装置２０５は、通信部１９０１、ＡＶデータ一覧管理部１９０２、蓄積部１９０３、再生出力管理部１９０４で構成される。
【０１０８】
通信部１９０１は、ネットワークを介して、データ表示装置２０２に対してＡＶデータを送信或いは受信するものである。通信部１９０１は、無線／有線どちらの形態であっても良い。
【０１０９】
ＡＶデータ一覧管理部１９０２は、データ記録装置２０５の蓄積部１９０３に記録されているＡＶデータの一覧を作成すると共に、操作端末２０４からの要求に応じて、前記ＡＶデータの一覧を送信するものである。ＡＶデータの一覧は、ＡＶデータを撮影した際に作成し、蓄積部１９０３に蓄積しても良いし、操作端末から要求があった際に、逐次作成するようにしても良い。ＡＶデータ一覧は、例えば、データ名、撮影日時、撮影時間、映像品質等で構成される。
【０１１０】
蓄積部１９０３は、撮影したＡＶデータ及びＡＶデータ一覧情報を記録するものである。蓄積部１９０３は、例えばＨＤＤや、ＤＶＤ、ＢＤ（Ｂｌｕ−ｒａｙ  Ｄｉｓｋ）などで構成される。
【０１１１】
再生出力管理部１９０４は、データ表示装置２０２からの要求に応じて、動画データ、静止画データ、音楽データを送信するものである。
【０１１２】
図２０は、本発明の実施の形態１におけるデータ表示装置２０２の構成を示すブロック図である。データ表示装置２０２は、通信部２００１、機器連携部２００２、再生入力管理部２００３及び表示部２００４で構成される。
【０１１３】
通信部２００１は、ネットワークを介して、データ記録装置に対して、ＡＶデータを送信或いは受信するものである。通信部２００１は、無線／有線どちらの形態であっても良い。
【０１１４】
表示部２００４は、再生入力管理部２００４が受信／デコードした静止画データを画面上に表示し、音楽データを出力するものである。
【０１１５】
再生入力部２００３は、データ記録装置２０５から静止画データ、音楽データを受信し、デコード処理するものである。
【０１１６】
図２１は、本実施の形態における操作端末２０４の処理を示すフローチャートである。
【０１１７】
Ｓ２１０２〜Ｓ２１０８に関しては、図１２のＳ２１０２〜Ｓ２１０８と同様のため、説明を割愛する。
【０１１８】
アイコン表示条件管理部１１０４は、機器の能力情報及びＡＶデータ一覧のデータ種別を判断して表示可能なアイコンがあるか否かを確認する（Ｓ２１０９）。音楽付きフォトフレームアイコンを表示可能であると判断した場合、表示部１１０２は、音楽付きフォトフレームアイコンを表示する（Ｓ２１１０〜Ｓ２１１１）。全てのアイコンを表示不可能であると判断した場合、処理を終了する。
【０１１９】
前記音楽付きフォトフレームアイコンが選択された場合、機器連携部１１０３は、データ表示装置２０２に対して、再生要求を送信する（Ｓ２１１２）。
【０１２０】
図２２は、本実施の形態におけるデータ記録装置２０５の処理を示すフローチャート図である。
【０１２１】
最初に、通信部１９０１は、他の機器から受信した機器発見要求に応答する（Ｓ２２０２）。
【０１２２】
次に、ＡＶデータ一覧管理部１９０２は、操作端末２０４からの要求に応じて、ＡＶデータ一覧を送信する（Ｓ２２０３）。
【０１２３】
次に、再生出力管理部１９０４は、操作端末２０４からの再生出力要求を受信し、データ表示装置２０２への再生出力を開始する（Ｓ２２０４〜Ｓ２２０５）。
【０１２４】
図２３は、本実施の形態２におけるデータ表示装置２０２の処理を示すフローチャート図である。
【０１２５】
最初に、通信部２００１は、他の機器から受信した機器発見要求に応答する（Ｓ２３０２）。
【０１２６】
次に、機器連携部２００３は、操作端末２０４からの再生要求を受信する（Ｓ２３０３）。
【０１２７】
次に、再生入力管理部２００３が、データ記録装置２０５から静止画データ及び音楽データの受信を開始し、表示部２００４に表示する（Ｓ２３０４〜Ｓ２３０５）。
【０１２８】
以上、本発明の実施の形態においては、操作端末を利用した簡単な操作で、データ記録装置が蓄積している静止画データ及び音楽データを、データ表示装置上で音楽付きフォトフレームとして再生可能となるデータ記録装置、データ表示装置及びデータ送受信システムを実現できる。
【０１２９】
以上、本発明のデータ記録装置、データ表示装置、操作端末及びデータ送受信システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１３０】
本発明は、ネットワークに接続される任意の機器間でＡＶデータを送信または転送するデータ記録装置、データ表示装置、操作端末及びデータ送受信システムに利用することができ、特にポータブル型の操作端末に利用することができる。
【符号の説明】
【０１３１】
１０１  差分アップロードアイコン
１０２  音楽付きフォトフレームアイコン
２０１、２０５  データ記録装置
２０２  データ表示装置
２０４  操作端末
２０６  ルーター
２０７  インターネット
９０１、１００１、１１０１、１９０１、２００１  通信部
９０２、１００３、１９０３  蓄積部
９０３、１００２、１９０２  ＡＶデータ一覧管理部
９０４  ダビング入力管理部
１００４  撮像部
１００５  ダビング出力管理部
１１０２、２００４  表示部
１１０３、２００２  機器連携部
１１０４  アイコン表示条件管理部
１１０５  機器管理部
１９０４  再生出力管理部
２００３  再生入力管理部
【図３】
2011239050.tif 000003
【図４】
2011239050.tif 000004
【図５】
2011239050.tif 000005
【図６】
2011239050.tif 000006
【図７】
2011239050.tif 000007
【図８】
2011239050.tif 000008
【図９】
2011239050.tif 000009
【図１０】
2011239050.tif 000010
【図１１】
2011239050.tif 000011
【図１２】
2011239050.tif 000012
【図１３】
2011239050.tif 000013
【図１４】
2011239050.tif 000014
【図１５】
2011239050.tif 000015
【図１６】
2011239050.tif 000016
【図１７】
2011239050.tif 000017
【図１８】
2011239050.tif 000018
【図１９】
2011239050.tif 000019
【図２０】
2011239050.tif 000020
【図２１】
2011239050.tif 000021
【図２２】
2011239050.tif 000022
【図２３】
2011239050.tif 000023
【図１】
2011239050.tif 000024
【図２】
2011239050.tif 000025